(57)【要約】【課題】駐車場を備えた施設などで子供の連れ去りや、車内に放置されることにより発生するトラブルを抑制させる。【解決手段】子連フラグ設定部２２８は、駐車場に入場する人物が子供を連れているか否かを示す子連フラグを設定し、車両情報登録部２２５は、子連フラグを車両情報データベースに登録し、預入フラグ設定部２３１ａは、駐車場に入場する車両に搭乗する人物が、自らの子供を託児所に預けているか否かを示す預入フラグを、子供を預けた人物の顔画像に対応付けて、車両情報データベースに設定する。類似度判定部２５３により遊技者の顔画像が車両情報データベースに登録された顔画像であると判定された場合、フラグ判定部２３２は、子連フラグ、および、預入フラグの設定状態を判定し、督促部２３３が、判定結果に基づいて、遊技台の動作の許可または不許可を設定する。本発明は、監視装置に適用することができる。【選択図】図１４
2008083944.tif 000002
【特許請求の範囲】
【請求項１】
駐車場に入場する車両に搭乗している人物の顔画像に基づいて、前記駐車場に入場する人物が子供を連れているか否かを示す子連フラグを、前記顔画像と対応付けて設定する子連フラグ設定手段と、
前記顔画像に対応付けて、子連フラグを車両情報データベースに登録する登録手段と、
前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定手段と、
照合対象者の顔画像と、前記車両情報データベースとして登録されている顔画像との類似度を計算し、照合する照合手段と、
前記照合手段の照合結果である類似度と所定の閾値との比較により、前記照合対象者の顔画像が、前記車両情報データベースに登録された顔画像であるか否かを判定する類似度判定手段と、
前記類似度判定手段により前記照合対象者の顔画像が前記車両情報データベースに登録された顔画像であると判定された場合、前記顔画像に対応付けて登録されている前記子連フラグ、および、前記預入フラグの設定状態を判定するフラグ判定手段と、
前記フラグ判定手段の判定結果に基づいて、前記照合対象者に対して前記子供を託児所に預けるように督促する督促手段と
を含む監視装置。
【請求項２】
前記駐車場に入場する車両に搭乗している人物の顔画像を抽出する顔画像抽出手段と、
前記顔画像抽出手段により抽出された顔画像より前記人物が大人であるか、または子供であるかの属性を推定する属性推定手段とをさらに含み、
前記子連フラグ設定手段は、前記駐車場に入場する車両に搭乗している人物の顔画像の前記属性推定手段により推定された属性に基づいて、前記駐車場に入場する人物が子供を連れているか否かを示す子連フラグを前記顔画像と対応付けて設定する
を含む請求項１に記載の監視装置。
【請求項３】
前記登録手段は、
前記属性推定手段により推定された属性が大人の前記顔画像に対応付けて、前記属性が子供として推定された顔画像をと供に子連フラグを、車両情報データベースに登録する
を含む請求項２に記載の監視装置。
【請求項４】
前記照合対象者の画像を撮像する照合対象者撮像手段と、
前記照合対象者撮像手段により撮像された画像より、前記照合対象者の顔画像を抽出する照合対象者顔画像抽出手段と、
前記照合対象者の顔画像より特徴量を抽出する特徴量抽出手段とをさらに含み、
前記照合手段は、前記照合対象者の顔画像の特徴量と、前記車両情報データベースとして登録されている顔画像の特徴量とを用いて、類似度を計算し、照合する
を含む請求項１に記載の監視装置。
【請求項５】
前記照合対象者は、遊技台で遊技する遊技者であり、
前記督促手段は、前記フラグ判定手段の判定結果に基づいて、前記顔画像に対応付けて登録されている前記子連フラグが子連であることを示すフラグであって、前記預入フラグが子供を託児所に預けていないことを示すフラグであるとき、前記前記遊技台の動作を不許可に設定し、それ以外のとき、許可に設定することにより、前記遊技者に対して前記子供を託児所に預けるように督促する
を含む請求項１に記載の監視装置。
【請求項６】
駐車場に入場する車両に搭乗している人物の顔画像に基づいて、前記駐車場に入場する人物が子供を連れているか否かを示す子連フラグを、前記顔画像と対応付けて設定する子連フラグ設定ステップと、
前記顔画像に対応付けて、子連フラグを車両情報データベースに登録する登録ステップと、
前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定ステップと、
照合対象者の顔画像と、前記車両情報データベースとして登録されている顔画像との類似度を計算し、照合する照合ステップと、
前記照合ステップの処理での照合結果である類似度と所定の閾値との比較により、前記照合対象者の顔画像が、前記車両情報データベースに登録された顔画像であるか否かを判定する類似度判定ステップと、
前記類似度判定ステップの処理により前記照合対象者の顔画像が前記車両情報データベースに登録された顔画像であると判定された場合、前記顔画像に対応付けて登録されている前記子連フラグ、および、前記預入フラグの設定状態を判定するフラグ判定ステップと、
前記フラグ判定ステップの処理での判定結果に基づいて、前記照合対象者に対して前記子供を託児所に預けるように督促する督促ステップと
を含む監視方法。
【請求項７】
駐車場に入場する車両に搭乗している人物の顔画像に基づいて、前記駐車場に入場する人物が子供を連れているか否かを示す子連フラグを、前記顔画像と対応付けて設定する子連フラグ設定ステップと、
前記顔画像に対応付けて、子連フラグを車両情報データベースに登録する登録ステップと、
前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定ステップと、
照合対象者の顔画像と、前記車両情報データベースとして登録されている顔画像との類似度を計算し、照合する照合ステップと、
前記照合ステップの処理での照合結果である類似度と所定の閾値との比較により、前記照合対象者の顔画像が、前記車両情報データベースに登録された顔画像であるか否かを判定する類似度判定ステップと、
前記類似度判定ステップの処理により前記照合対象者の顔画像が前記車両情報データベースに登録された顔画像であると判定された場合、前記顔画像に対応付けて登録されている前記子連フラグ、および、前記預入フラグの設定状態を判定するフラグ判定ステップと、
前記フラグ判定ステップの処理での判定結果に基づいて、前記照合対象者に対して前記子供を託児所に預けるように督促する督促ステップと
を含む処理をコンピュータに実行させるプログラム。
【発明の詳細な説明】
【技術分野】
【０００１】
本発明は、監視装置および方法、並びにプログラムに関し、特に、駐車場を備えた施設において、幼児を含む子供が車内に置き去りにされる、または、連れ去られるといったトラブルを抑制できるようにした監視装置および方法、並びにプログラムに関する。
【背景技術】
【０００２】
昨今、遊技施設等において、幼児を含む子供等を同乗させて来場するケースが多くなってきている。その様な場合において、さほど時間を要しないと判断し幼児を含む子供を車内に放置し、施設利用時間がなんらかの理由で長くなり、炎天下等の駐車場に駐車された車内で幼児を含む子供が脱水症状や熱中症になる事故が増加している。
【０００３】
上記問題に鑑みて車内温度を運転者に通知することで子供の車内放置に伴う熱中症事故を防止する手段として異常情報通知装置等の専用機器を用いる事により運転者に車両異常を連絡する技術が提案されている（特許文献１参照）。
【０００４】
【特許文献１】特開２００１−１６０１９２号公報
【発明の開示】
【発明が解決しようとする課題】
【０００５】
しかしながら、上述の技術においては車両本体に専用機器を設置する必要があり、子供を車内に放置して遊技店、百貨店等の商業施設に出向く保護者は自らの意思で上記専用機器を必ずしも設置するとは限らない。また、施設管理者等の第三者からは、幼児を含む子供が同乗していることを識別できることができないので、施設への入場後には誰が幼児を含む子供を同乗させていたか識別することができない等により有効な防止手段がとれなかった。
【０００６】
本発明はこのような状況に鑑みてなされたものであり、遊技施設等に隣接された駐車場利用車両に搭乗している利用者の画像情報から、年代推定により属性推定機能を用いて搭乗者の中に幼児を含む子供等が搭乗していることを判別し識別した後、搭乗者を遊技不可能な状態にするなどの行動制約を実施し、遊技施設等に隣接された駐車場における幼児を含む子供の置き去りなどにより生じるトラブルを抑制できるようにするものである。
【課題を解決するための手段】
【０００７】
本発明の一側面の監視装置は、駐車場に入場する車両に搭乗している人物の顔画像に基づいて、前記駐車場に入場する人物が子供を連れているか否かを示す子連フラグを、前記顔画像と対応付けて設定する子連フラグ設定手段と、前記顔画像に対応付けて、子連フラグを車両情報データベースに登録する登録手段と、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定手段と、照合対象者の顔画像と、前記車両情報データベースとして登録されている顔画像との類似度を計算し、照合する照合手段と、前記照合手段の照合結果である類似度と所定の閾値との比較により、前記照合対象者の顔画像が、前記車両情報データベースに登録された顔画像であるか否かを判定する類似度判定手段と、前記類似度判定手段により前記照合対象者の顔画像が前記車両情報データベースに登録された顔画像であると判定された場合、前記顔画像に対応付けて登録されている前記子連フラグ、および、前記預入フラグの設定状態を判定するフラグ判定手段と、前記フラグ判定手段の判定結果に基づいて、前記照合対象者に対して前記子供を託児所に預けるように督促する督促手段とを含む。
【０００８】
前記駐車場に入場する車両に搭乗している人物の顔画像を抽出する顔画像抽出手段と、前記顔画像抽出手段により抽出された顔画像より前記人物が大人であるか、または子供であるかの属性を推定する属性推定手段とをさらに含ませるようにすることができ、前記子連フラグ設定手段には、前記駐車場に入場する車両に搭乗している人物の顔画像の前記属性推定手段により推定された属性に基づいて、前記駐車場に入場する人物が子供を連れているか否かを示す子連フラグを前記顔画像と対応付けて設定させるようにすることができる。
【０００９】
前記登録手段には、前記属性推定手段により推定された属性が大人の前記顔画像に対応付けて、前記属性が子供として推定された顔画像をと供に子連フラグを、車両情報データベースに登録させるようにすることができる。
【００１０】
前記照合対象者の画像を撮像する照合対象者撮像手段と、前記照合対象者撮像手段により撮像された画像より、前記照合対象者の顔画像を抽出する照合対象者顔画像抽出手段と、前記照合対象者の顔画像より特徴量を抽出する特徴量抽出手段とをさらに含ませるようにすることができ、前記照合手段には、前記照合対象者の顔画像の特徴量と、前記車両情報データベースとして登録されている顔画像の特徴量とを用いて、類似度を計算させ、照合させるようにすることができる。
【００１１】
前記照合対象者は、遊技台で遊技する遊技者とすることができ、前記督促手段には、前記フラグ判定手段の判定結果に基づいて、前記顔画像に対応付けて登録されている前記子連フラグが子連であることを示すフラグであって、前記預入フラグが子供を託児所に預けていないことを示すフラグであるとき、前記前記遊技台の動作を不許可に設定し、それ以外のとき、許可に設定させることにより、前記遊技者に対して前記子供を託児所に預けるように督促させるようにすることができる。
【００１２】
本発明の一側面の監視方法は、駐車場に入場する車両に搭乗している人物の顔画像に基づいて、前記駐車場に入場する人物が子供を連れているか否かを示す子連フラグを、前記顔画像と対応付けて設定する子連フラグ設定ステップと、前記顔画像に対応付けて、子連フラグを車両情報データベースに登録する登録ステップと、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定ステップと、照合対象者の顔画像と、前記車両情報データベースとして登録されている顔画像との類似度を計算し、照合する照合ステップと、前記照合ステップの処理での照合結果である類似度と所定の閾値との比較により、前記照合対象者の顔画像が、前記車両情報データベースに登録された顔画像であるか否かを判定する類似度判定ステップと、前記類似度判定ステップの処理により前記照合対象者の顔画像が前記車両情報データベースに登録された顔画像であると判定された場合、前記顔画像に対応付けて登録されている前記子連フラグ、および、前記預入フラグの設定状態を判定するフラグ判定ステップと、前記フラグ判定ステップの処理での判定結果に基づいて、前記照合対象者に対して前記子供を託児所に預けるように督促する督促ステップとを含む。
【００１３】
本発明の一側面のプログラムは、駐車場に入場する車両に搭乗している人物の顔画像に基づいて、前記駐車場に入場する人物が子供を連れているか否かを示す子連フラグを、前記顔画像と対応付けて設定する子連フラグ設定ステップと、前記顔画像に対応付けて、子連フラグを車両情報データベースに登録する登録ステップと、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定ステップと、照合対象者の顔画像と、前記車両情報データベースとして登録されている顔画像との類似度を計算し、照合する照合ステップと、前記照合ステップの処理での照合結果である類似度と所定の閾値との比較により、前記照合対象者の顔画像が、前記車両情報データベースに登録された顔画像であるか否かを判定する類似度判定ステップと、前記類似度判定ステップの処理により前記照合対象者の顔画像が前記車両情報データベースに登録された顔画像であると判定された場合、前記顔画像に対応付けて登録されている前記子連フラグ、および、前記預入フラグの設定状態を判定するフラグ判定ステップと、前記フラグ判定ステップの処理での判定結果に基づいて、前記照合対象者に対して前記子供を託児所に預けるように督促する督促ステップとを含む処理をコンピュータに実行させる。
【００１４】
本発明の一側面の監視装置および方法、並びにプログラムにおいては、駐車場に入場する車両に搭乗している人物の顔画像に基づいて、前記駐車場に入場する人物が子供を連れているか否かを示す子連フラグが、前記顔画像と対応付けて設定され、前記顔画像に対応付けて、子連フラグが車両情報データベースに登録され、前記駐車場に入場する車両に搭乗する人物が、自らの子供を託児所に預けているか否かを示す預入フラグが、前記子供を預けた人物の顔画像に対応付けて、前記車両情報データベースに設定され、照合対象者の顔画像と、前記車両情報データベースとして登録されている顔画像との類似度が計算され、照合され、照合結果である類似度と所定の閾値との比較により、前記照合対象者の顔画像が、前記車両情報データベースに登録された顔画像であるか否かが判定され、前記照合対象者の顔画像が前記車両情報データベースに登録された顔画像であると判定された場合、前記顔画像に対応付けて登録されている前記子連フラグ、および、前記預入フラグの設定状態が判定され、判定結果に基づいて、前記照合対象者に対して前記子供を託児所に預けるように督促される。
【００１５】
本発明の監視装置における、駐車場に入場する車両に搭乗している人物の顔画像に基づいて、前記駐車場に入場する人物が子供を連れているか否かを示す子連フラグを、前記顔画像と対応付けて設定する子連フラグ設定手段とは、例えば、子連フラグ設定部であり、前記顔画像に対応付けて、子連フラグを車両情報データベースに登録する登録手段とは、例えば、車両情報登録部であり、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定手段とは、例えば、預入フラグ設定部であり、照合対象者の顔画像と、前記車両情報データベースとして登録されている顔画像との類似度を計算し、照合する照合手段とは、例えば、類似度計算部であり、前記照合手段の照合結果である類似度と所定の閾値との比較により、前記照合対象者の顔画像が、前記車両情報データベースに登録された顔画像であるか否かを判定する類似度判定手段とは、例えば、類似度判定部であり、前記類似度判定手段により前記照合対象者の顔画像が前記車両情報データベースに登録された顔画像であると判定された場合、前記顔画像に対応付けて登録されている前記子連フラグ、および、前記預入フラグの設定状態を判定するフラグ判定手段とは、例えば、フラグ判定部であり、前記フラグ判定手段の判定結果に基づいて、前記照合対象者に対して前記子供を託児所に預けるように督促する督促手段とは、例えば、督促部である。
【００１６】
すなわち、前記類似度判定部により前記遊技者の顔画像が、駐車場に入場した車両の搭乗者として撮像されて、前記車両情報データベースに登録された顔画像であると判定された場合、フラグ判定部が、前記顔画像に対応付けて登録されている前記子連フラグ、および、前記預入フラグの設定状態を判定し、前記フラグ判定部の判定結果が、子連フラグがＯＮであって、預入フラグがＯＦＦである場合、督促部が、前記遊技台の動作の不許可を設定することにより、子供を託児所に預けるように督促する。
【００１７】
このため、駐車場入場時に撮像された画像に基づいて、子連フラグにより子供を連れていると認識されたにも関わらず、託児所への子供の預入の有無を示す託児フラグにより子供を託児所に預けていないことが認識されると、遊技台の動作が不許可に設定されて、遊技が不能となることにより、子供を託児所に預けるように督促されるので、子連の遊技客は、子供を託児所に預けなければ遊技することができないことになる。
【００１８】
結果として、遊技客は、来店すると子連であれば、子供を託児所に必ず預けるようになるので、駐車場を備えた施設などで子供の連れ去りや、車内に放置されることにより発生するトラブルを抑制させることが可能となる。
【発明の効果】
【００１９】
本発明によれば、駐車場を備えた施設などで子供の連れ去りや、車内に放置されることにより発生するトラブルを抑制させることが可能となる。
【発明を実施するための最良の形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
すなわち、本発明の一側面の監視装置は、駐車場に入場する車両に搭乗している人物の顔画像に基づいて、前記駐車場に入場する人物が子供を連れているか否かを示す子連フラグを、前記顔画像と対応付けて設定する子連フラグ設定手段（例えば、図１４の子連フラグ設定部２２８）と、前記顔画像に対応付けて、子連フラグを車両情報データベースに登録する登録手段（例えば、図１４の車両情報登録部２２５）と、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定手段（例えば、図１４の預入フラグ設定部２３１ａ）と、照合対象者の顔画像と、前記車両情報データベースとして登録されている顔画像との類似度を計算し、照合する照合手段（例えば、図１４の類似度計算部２５２）と、前記照合手段の照合結果である類似度と所定の閾値との比較により、前記照合対象者の顔画像が、前記車両情報データベースに登録された顔画像であるか否かを判定する類似度判定手段（例えば、図１４の類似度判定部２５３）と、前記類似度判定手段により前記照合対象者の顔画像が前記車両情報データベースに登録された顔画像であると判定された場合、前記顔画像に対応付けて登録されている前記子連フラグ、および、前記預入フラグの設定状態を判定するフラグ判定手段（例えば、図１４のフラグ判定部２３２）と、前記フラグ判定手段の判定結果に基づいて、前記照合対象者に対して前記子供を託児所に預けるように督促する督促手段（例えば、図１４の督促部２３３）とを含む。
【００２２】
前記駐車場に入場する車両に搭乗している人物の顔画像を抽出する顔画像抽出手段（例えば、図１４の顔画像抽出部２２６）と、前記顔画像抽出手段により抽出された顔画像より前記人物が大人であるか、または子供であるかの属性を推定する属性推定手段（例えば、図１４の属性推定部２２７）とをさらに含ませるようにすることができ、前記子連フラグ設定手段（例えば、図１４の子連フラグ設定部２２８）には、前記駐車場に入場する車両に搭乗している人物の顔画像の前記属性推定手段により推定された属性に基づいて、前記駐車場に入場する人物が子供を連れているか否かを示す子連フラグを前記顔画像と対応付けて設定させるようにすることができる。
【００２３】
前記登録手段（例えば、図１４の車両情報登録部２２５）には、前記属性推定手段により推定された属性が大人の前記顔画像に対応付けて、前記属性が子供として推定された顔画像をと供に子連フラグを、車両情報データベースに登録させるようにすることができる。
【００２４】
前記照合対象者の画像を撮像する照合対象者撮像手段（例えば、図１のカメラ３８）と、前記照合対象者撮像手段により撮像された画像より、前記照合対象者の顔画像を抽出する照合対象者顔画像抽出手段（例えば、図１２の顔画像抽出部２０２）と、前記遊技者の顔画像より特徴量を抽出する特徴量抽出手段とをさらに含ませるようにすることができ、前記照合手段（例えば、図１４の類似度計算部２５２）には、前記照合対象者の顔画像の特徴量と、前記車両情報データベースとして登録されている顔画像の特徴量とを用いて、類似度を計算し、照合させるようにすることができる。
【００２５】
前記照合対象者は、遊技台で遊技する遊技者とすることができ、前記督促手段（例えば、図１４の督促部２３３）には、前記フラグ判定手段の判定結果に基づいて、前記顔画像に対応付けて登録されている前記子連フラグが子連であることを示すフラグであって、前記預入フラグが子供を託児所に預けていないことを示すフラグであるとき、前記前記遊技台の動作を不許可に設定し、それ以外のとき、許可に設定させることにより、前記遊技者に対して前記子供を託児所に預けるように督促させるようにすることができる。
【００２６】
本発明の一側面の監視方法およびプログラムは、駐車場に入場する車両に搭乗している人物の顔画像に基づいて、前記駐車場に入場する人物が子供を連れているか否かを示す子連フラグを、前記顔画像と対応付けて設定する子連フラグ設定ステップ（例えば、図１６のステップＳ３２）と、前記顔画像に対応付けて、子連フラグを車両情報データベースに登録する登録ステップ（例えば、図１６のステップＳ３４）と、前記駐車場に入場する車両に搭乗する人物が、自らの子供を託児所に預けているか否かを示す預入フラグを、前記子供を預けた人物の顔画像に対応付けて、前記車両情報データベースに設定する預入フラグ設定ステップ（例えば、図１９のステップＳ１４５）と、照合対象者の顔画像と、前記車両情報データベースとして登録されている顔画像との類似度を計算し、照合する照合ステップ（例えば、図２２のステップＳ２３５）と、前記照合ステップの処理での照合結果である類似度と所定の閾値との比較により、前記照合対象者の顔画像が、前記車両情報データベースに登録された顔画像であるか否かを判定する類似度判定ステップ（例えば、図２２のステップＳ２３６）と、前記類似度判定ステップの処理により前記照合対象者の顔画像が前記車両情報データベースに登録された顔画像であると判定された場合、前記顔画像に対応付けて登録されている前記子連フラグ、および、前記預入フラグの設定状態を判定するフラグ判定ステップ（例えば、図２２のステップＳ２３７，Ｓ２３８）と、前記フラグ判定ステップの判定結果に基づいて、前記照合対象者に対して前記子供を託児所に預けるように督促する督促ステップ（例えば、図２２のステップＳ２５５，Ｓ２５６）とを含む。
【００２７】
図１は、本発明に係る遊技店の監視システムの一実施の形態の構成を示す図である。
【００２８】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２９】
生体情報管理バス６は、主に各遊技店１の画像情報認識装置２１により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３０】
生体情報管理センタ２は、生体情報管理センタを管理運営する事業者により使用されるサーバであり、生体情報管理データベース（以降、DBとも称するものとする）３で管理されている登録遊技者DBを各遊技店１により生成される未登録遊技者DBに基づいて更新すると供に、更新した最新の登録遊技者DBを各遊技店１の画像情報認識装置２１に対して配信する。
【００３１】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３２】
画像情報認識装置２１は、遊技店１に併設されている駐車場５１−１に設けられた、CCD（Charge Coupled Devices）やCMOS（Complementary Metal Oxide Semiconductor）などの撮像素子により構成されている駐車場入口カメラ６１−１乃至６１−ｒにより駐車場５１に入場する車両が撮像された画像より駐車場画像処理ユニット６３−１乃至６３−ｒにより抽出されて、生体情報バス３１を介して供給されてくる、その車両の車両登録情報（ナンバプレートの情報）、および、その車両の搭乗者の顔画像を、それぞれ対応付けて車両情報データベース２０に登録する。また、画像処理認識装置２１は、車両に搭乗している搭乗者の顔画像を属性推定し、子供であるか、大人であるかを識別すると供に、子供が搭乗者に含まれていると推定されるとき、同乗している大人の顔画像に対応付けて、子連フラグを設定して、子供の顔画像を車両情報データベース２０に登録する。
【００３３】
また、画像情報認識装置２１は、遊技店１に併設されている、遊技店１に子連で来店する遊技客の子供を預かる託児所５２に設けられているCCDやCMOSなどの撮像素子により構成されている託児所カメラ６５により幼児を含む子供を預ける際、または、預けた子供の引き取りの際に撮像された画像より託児所画像処理ユニット６４により抽出されて生体情報バス３１を介して供給されてくる大人および子供の顔画像、または、大人だけの顔画像を取得すると供に、車両情報データベース２０を検索して、検索された登録されている顔画像に預入フラグを設定する、または、預入されている子供の顔画像を検索し、検索された顔画像の子供が所持している呼出装置６７を動作させる。
【００３４】
さらに、画像情報認識装置２１は、CCDやCMOSなどの撮像素子により構成されているカメラ３８−１乃至３８−ｍ、入口カメラ４０−１乃至４０−ｐ、店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末１９に通知したり、CRT（Cathode Ray Tube）またはLCD（Liquid Crystal Display）などからなる表示部２３に表示する。
【００３５】
また、画像情報認識装置２１は、カメラ３８−１乃至３８−ｍにより撮像された画像より画像処理ユニット３９−１乃至３９−（ｍ＋ｐ＋ｑ）により抽出されて、生体情報バス３１を介して供給されてくる顔画像の情報に基づいて、車両情報データベース２０に登録されている顔画像と照合し、一致する場合、子連フラグおよび預入フラグに基づいて、子連フラグがＯＮであって、預入フラグがＯＦＦのとき、すなわち、子供を連れて駐車場５１に入場しているにも関わらず、託児所に預けていないとき、カメラ３８−１乃至３８−ｍを識別するカメラIDに対応する遊技台３６の遊技動作を不許可に制御すると供に、それ以外の場合、遊技動作を許可に制御する。
【００３６】
遊技店管理装置２４は、いわゆるホールコンピュータと呼ばれるものであり、遊技店管理情報バス３０を介して遊技台３６−１乃至３６−ｍの動作を監視または制御している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００３７】
媒体貸出管理装置２７は、精算販売機３３、および貸出機３４からの情報に基づいて、貸し出される遊技媒体の媒体貸出管理情報を、媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００３８】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理データベース２９に登録する。
【００３９】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００４０】
計数機３５は、遊技者が遊技台３６により遊技することにより獲得した遊技媒体の数を、計数し、計数結果を磁気カードやレシートなどとして出力する。
【００４１】
遊技台３６−１乃至３６−ｍは、遊技者により所定の操作がなされることにより、遊技を実行し、いわゆる小当たりや大当たりに応じて、遊技球、または、メダルを払い出す。
【００４２】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に画像情報認識装置２１に送信する。尚、図１においては、生体情報を取得する機能として、遊技者の顔画像を取得するカメラ３８−１乃至３８−ｍが設けられている例が示されている。
【００４３】
カメラ３８−１乃至３８−ｍは、例えば、図２で示されるように、各遊技台３６−１乃至３６−４のそれぞれの上部に設けられた台表示ランプ１６１−１乃至１６１−４台の下部に図３で示されるように、読取範囲δ内に遊技者が撮像できるように設け、顔画像を撮像するようにしてもよく、このようにすることにより、各カメラIDは、同時に遊技台ID（後述する台番号と同様のものである）として使用することが可能となる。
【００４４】
また、カメラ３８−１乃至３８−ｍは、例えば、図４で示されるように、遊技台周辺端末３７−１乃至３７−４に凸部１７１−１乃至１７１−４を設け、図５で示されるように読取範囲θ内に遊技者の顔画像が撮像できるように設けるようにしてもよい。
【００４５】
さらに、カメラ３８−１乃至３８−ｍは、例えば、図６で示されるように、遊技台３６の中央部（遊技台３６の盤面上）に設けるようにして、撮像するようにしてもよい。すなわち、図６の設置部１８１にカメラ３８が設置されることにより、図７で示されるように、読取範囲φ内に遊技者を撮像する。
【００４６】
入口カメラ４０−１乃至４０−ｐおよび店内カメラ４１−１乃至４１−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００４７】
入口カメラ４０−１乃至４０−ｐおよび店内カメラ４１−１乃至４１−ｑは、例えば、図８で示されるように設定される。図８は、遊技店１内の入口カメラ４０−１乃至４０−ｐおよび店内カメラ４１−１乃至４１−ｑの設置例を示している。
【００４８】
すなわち、図８においては、出入口１９２−１乃至１９２−３が設けられており、入口カメラ４０−１乃至４０−３は、それぞれの出入口１９２より入店してくる遊技者を撮像する。また、店内カメラ４１−１乃至４１−１０は、島設備１９１−１乃至１９１−５のそれぞれ両面をそれぞれ一列に渡って撮像できる位置に設定されている。島設備１９１は、両面に遊技台３６が設置されており、すなわち、図中の島設備１９１を上下方向に挟むように設置されている。カメラ３８、入口カメラ４０および店内カメラ４１は、いずれにおいてもパンチルトズーム機能を備えているため、図８で示されるように、店内カメラ４１−１乃至４１−１０が配置されることにより、遊技台３６で遊技する全遊技者が、店内カメラ４１−１乃至４１−１０のいずれかで撮像できる。
【００４９】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００５０】
すなわち、図８で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４０、および店内カメラ４１が設置されている。
【００５１】
また、駐車場入口カメラ６１−１乃至６１−ｒおよび駐車場出口カメラ６２−１乃至６２−ｓは、CCDやCMOSなどの撮像素子により構成されており、遊技店１の駐車場５１におけるゲートに設置され、撮像した画像をそれぞれ駐車場画像処理ユニット６３−１乃至６３−（ｒ＋ｓ）に供給する。駐車場入口カメラ６１−１乃至６１−ｒおよび駐車場出口カメラ６２−１乃至６２−ｓは、例えば、図９，図１０で示されるように設置される。図９は、遊技店１における駐車場５１内の駐車場入口カメラ６１−１乃至６１−ｒおよび駐車場出口カメラ６２−１乃至６２−ｓの設置例を示しており、図１０は、ゲートｇ−１乃至ｇ−３付近における駐車場入口カメラ６１−１乃至６１−ｒおよび駐車場出口カメラ６２−１乃至６２−ｓの拡大配置図である。
【００５２】
すなわち、図９においては、駐車場５１にゲートｇ−１乃至ｇ−３が設けられており、駐車場入口カメラ６１−１乃至６１−３は、それぞれのゲートｇ−１乃至ｇ−３より入場する車両Ｃ２を、例えば、図１１で示されるように前方から画像Ｐとして撮像する。また、駐車場出口カメラ６２−１乃至６２−３は、それぞれのゲートｇ−１乃至ｇ−３より退場する車両Ｃ１を撮像する。
【００５３】
このように駐車場５１においては、全てのゲートｇに駐車場入口カメラ６１および駐車場出口カメラ６２が設けられているので、駐車場５１に入場する車両Ｃ２は、入場したゲートｇに設けられた駐車場入口カメラ６１により前方から必ず撮像されることになり、同様にして、駐車場５１から退場する際に、いずれか退場しようとするゲートｇに設けられた駐車場出口カメラ６２により車両Ｃ１が前方から必ず撮像されることになる。
【００５４】
尚、図１１においては、画像Ｐに車両Ｃ２が前方から撮像されており、車両Ｃ２に搭乗している人物の顔画像Ｆ１，Ｆ２、および車両登録情報画像Ｎが含まれており、後述する処理により、顔画像Ｆ１，Ｆ２、および車両登録情報画像Ｎが抽出されて、車両登録情報画像Ｎより抽出される車両登録情報に対応付けられて顔画像Ｆ１，Ｆ２が車両情報データベース２０に登録される。また、図１１においては、顔画像Ｆ１，Ｆ２は、属性推定により、大人であるか、または、子供であるかが判定され、大人の顔画像に対応付けて子供の顔画像が車両情報データベース２０に登録される。すなわち、図１１においては、顔画像Ｆ１が大人の顔画像であり、顔画像Ｆ２が、子供の顔画像であるので、顔画像Ｆ１に対応付けて、顔画像Ｆ２が登録されることになる。また、このように大人の顔画像および子供の顔画像が存在するとき、その大人の顔画像に対して、子連フラグがＯＮ（子供を連れていることを示すフラグ）が設定される。
【００５５】
次に、図１２を参照して、画像処理ユニット３９の構成例について説明する。
【００５６】
画像取得部２０１は、カメラ３８（または、入口カメラ４０もしくは店内カメラ４１）により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を画像情報認識装置２１に送信する。
【００５７】
尚、託児所画像処理ユニット６４の構成は、画像処理ユニット３９と同様の構成であるのでその説明は省略するものとする。
【００５８】
次に、図１３を参照して、駐車場画像処理ユニット６３の構成例について説明する。
【００５９】
画像取得部２１１は、駐車場入口カメラ６１（または、駐車場出口カメラ６２）により撮像された画像を取得し、顔画像抽出部２１２および車両登録情報画像抽出部２１４に供給する。顔画像抽出部２１２は、画像取得部２１１より供給されてきた画像内に、顔を構成する部位の配置などのパターンにより顔画像からなる矩形画像を抽出して送信部２１３に供給する。車両登録情報画像抽出部２１４は、画像取得部２１１より供給されてきた画像内に、ナンバプレートを構成する部位の配置などのパターンにより車両登録情報画像からなる矩形画像を抽出して送信部２１３に供給する。送信部２１３は、車両登録情報画像と顔画像とを対応付けて画像情報認識装置２１に送信する。
【００６０】
次に、図１４を参照して、画像情報認識装置２１の構成例について説明する。
【００６１】
車両登録情報画像抽出部２２１は、駐車場画像処理ユニット６３より供給されてくる車両登録情報画像および顔画像の情報より、車両登録情報画像を抽出して文字情報照合部２２２に供給する。
【００６２】
文字情報照合部２２２は、車両登録情報画像抽出部２２１より供給されてきた車両登録情報画像を、文字情報辞書DB２２３に登録されている文字認識用の画像と照合して照合結果をテキストデータ変換部２２４に供給する。
【００６３】
テキストデータ変換部２２４は、照合結果に基づいて、車両登録情報画像をテキストデータ（文字データ）として変換し、変換結果である車両登録情報のテキストデータを車両情報登録部２２５に供給する。
【００６４】
顔画像抽出部２２６は、駐車場画像処理ユニット６３より供給されてくる車両登録情報画像および顔画像の情報より、顔画像を抽出して属性推定部２２７に供給する。
【００６５】
属性推定部２２７は、供給された顔画像の特徴量に応じて顔画像の属性として、大人であるか、または、幼児を含む子供であるかを推定（判定）し、顔画像と供に子連フラグ設定部２２８に供給する。
【００６６】
子連フラグ設定部２２８は、属性推定部２２７より顔画像と供に供給されてくる属性判定結果に基づいて、大人の顔画像と、子供の顔画像とが両方含まれているか否かを判定して、判定結果に応じて、子連フラグをＯＮまたはＯＦＦに設定し、子連フラグの設定結果と供に顔画像を車両情報登録部２２５に供給する。より具体的には、大人の顔画像と、子供の顔画像とが両方含まれている場合、子連フラグ設定部２２８は、その大人の顔画像に対して子連フラグをＯＮに設定し、それ以外の場合、子連フラグをＯＦＦに設定する。
【００６７】
車両情報登録部２２５は、テキストデータ変換部２２４より供給されてくる車両登録情報のテキストデータ、その車両に搭乗している人物の顔画像、および、子連フラグの設定情報とを対応付けて車両情報データベース（DB）２０に登録する。尚、子連フラグがＯＮに設定される場合、大人の顔画像に対応付けて、子供の顔画像が車両情報データベース２０に登録される。
【００６８】
顔画像取得部２２９は、画像処理ユニット３９または、託児所画像処理ユニット６４より供給される顔画像を取得し、照合部２３０に供給する。照合部２３０は、顔画像取得部２２９により取得された顔画像のうち、画像処理ユニット３９より供給されてきた顔画像と、生体情報DB２２に予め登録されている登録遊技者の顔画像、または、車両情報データベース２０に登録されている顔画像とを照合し、類似度の高い候補となる顔画像があれば、最上位の顔画像を照合結果として表示部２３に表示させると供に、照合結果と供に顔画像を撮像したカメラIDの情報をフラグ判定部２３２に供給する。
【００６９】
また、照合部２３０は、顔画像取得部２２９により取得された顔画像のうち託児所画像処理ユニット６４により抽出された顔画像と、車両情報データベース２０に登録されている顔画像とを照合し、類似度の高い候補となる顔画像があれば、最上位の顔画像を照合結果として表示部２３に表示させると供に、照合結果と供にカメラIDを託児管理部２３１に供給する。
【００７０】
より詳細には、照合部２３０の特徴量抽出部２５１は、顔画像を識別するための特徴量を抽出して、顔画像と共に類似度計算部２５２に供給する。類似度計算部２５２は、生体情報DB２２、または、車両情報DB２０に登録されている登録遊技者の顔画像の特徴量を抽出すると供に、特徴量抽出部２５１より供給されてくる特徴量とを用いて、生体情報DB２２に登録されている全ての登録遊技者の顔画像、または、車両情報DB２０に登録されている顔画像との類似度を求め、顔画像取得部２２９より供給されてきた顔画像、および、類似度が最上位の顔画像を類似度判定部２５３に供給する。より具体的には、類似度計算部２５２は、例えば、目と目の間隔、あごから額までの長さと、あごから鼻までの長さの比率などの各種の顔の特徴量に基づいて、それぞれの差分和、平均比率、または比率和などを類似度として求める。
【００７１】
類似度判定部２５３は、類似度計算部２５２より供給されてくる類似度が最上位となる顔画像との類似度と、所定の閾値とを比較し、比較結果に基づいて、最上位となる登録顔画像が、顔画像取得部２２９より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、最上位となる顔画像と類似度の情報を表示部２３に供給して、表示させると供に、通信部２３４に供給する。
【００７２】
操作部２３５は、ボタン、マウス、または、キーボードなどから構成され、車両情報データベース２０の表示画面を切替えるときなどに操作される。通信部２３４は、モデムなどから構成され、類似度の最も高い顔画像を携帯端末１９に配信する。
【００７３】
尚、ここでは、類似度は、例えば、比率和で示されるよう登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と、生体情報DB２２に登録されている顔画像、または車両情報DB２０に蓄積されている顔画像とのそれぞれの特徴量における差分和として表現されている場合、類似度判定部２５３は、類似度が閾値よりも小さければ、撮像された顔画像が登録遊技者の顔画像であるとみなすことになり、または、平均比率などの場合、０乃至１の範囲で所定の値以上であって、１に近い値であれば、同一の人物であるとみなすことができる。
【００７４】
託児管理部２３１は、照合部２３０より、遊技店１に来店した遊技者が連れている幼児を含む子供を託児所５２に預ける際、託児所カメラ６５により撮像されて、託児所画像処理ユニット６４より供給されてきた顔画像が、車両情報DB２０に登録されている顔画像と一致する判定結果に基づいて、一致した顔画像として供給されてきたとき、属性判定部２３１ｂを制御して、顔画像が大人であるか、子供であるかを判定させる。そして、さらに、大人と子供の両方の顔画像があるとき、託児管理部２３１は、預入フラグ設定部２３１ａを制御して、大人の顔画像に対応付けて、車両情報DB２０に登録されている、預入フラグをＯＮ、すなわち、連れてきた子供を託児所に預けていることを示すフラグに設定させる。このとき、子供には、呼出装置６７が配布されるので、呼出装置６７の識別番号も併せて登録する。
【００７５】
また、一致した顔画像が、大人の顔画像だけの場合、預けた子供を迎えに来たものとみなし、託児管理部２３１は、呼出管理部２３１ｃを制御して、呼出装置６７を識別する呼出装置番号に基づいて呼出装置６７を動作させる。
【００７６】
フラグ判定部２３２は、画像処理ユニット３９より供給された顔画像、すなわち、ここでは、遊技台３６のカメラ３８にて撮像された顔画像のうち、車両情報DB２０に登録されている顔画像と一致した場合、一致した顔画像の子連フラグおよび預入フラグを確認し、顔画像を撮像したカメラIDに基づいて特定される遊技台３６の遊技動作の許可、または、不許可を督促部２３３に供給し、遊技店管理装置２４を介して各遊技台の動作を許可、または、不許可にさせると共に、遊技を不許可として動作できないようにすることにより遊技者に対して子供を託児所に預けるように督促する。
【００７７】
表示制御部２３６は、操作部２３５が操作されることにより発生する操作信号に基づいて、車両情報DB２０の情報を表示すると供に、検索し対応するカメラ３８で撮像されている画像を表示する。
【００７８】
次に、図１５を参照して、遊技店管理装置２４および遊技台３６の構成について説明する。
【００７９】
制御情報取得部３０１は、所定の台番号の遊技台３６の動作を不許可にする指示を示す制御信号を受信する場合、遊技台制御部３０２を制御して、所定の台番号の遊技台３６に対して遊技を不許可とさせるように制御すると共に、子供を託児所に預けるように促す画面を表示させるように指示する。
【００８０】
遊技台制御部３０２は、所定の台番号の遊技台３６の動作を許可、または、不許可に設定させるように、該当する遊技台３６を制御する制御信号を供給する。
【００８１】
遊技台３６の動作制御部３１１は、遊技店管理装置２４からの制御信号に基づいて、不許可を指示する制御信号が供給されてきた場合、子供を託児所に預けることを促す画面を表示するように指示するとともに、遊技台３６の遊技に関する動作を不許可に設定させる。
【００８２】
表示制御部３１２は、遊技店管理装置２４より現在の遊技者に対して子供を託児所に預けることを促す画面を表示するように指示された場合、現在の遊技者に対して子供を託児所に預けることを促す画面を表示部３１３に表示する。
【００８３】
次に、図１６のフローチャートを参照して、車両情報取得処理について説明する。
【００８４】
ステップＳ１において、駐車場入口カメラ６１（または、駐車場出口カメラ６２）は、それぞれ駐車場５１のゲートｇの入口方向（または、出口方向）を撮像し、撮像した画像を駐車場画像処理ユニット６３に供給する。駐車場画像処理ユニット６３の画像取得部２１１は、駐車場入口カメラ６１（または、駐車場出口カメラ６２）より供給されてきた画像を取得し、顔画像抽出部２１２および車両登録情報画像抽出部２１４に供給する。
【００８５】
ステップＳ２において、車両登録情報画像抽出部２１４は、供給されてきた画像より車両登録情報、すなわち、いわゆるナンバプレートの画像に特有の特徴量を検出し、画像よりナンバプレートが撮像されている矩形状の位置を特定して、車両登録情報画像として抽出し、送信部２１３に供給する。
【００８６】
ステップＳ３において、車両登録情報画像抽出部２１４は、車両登録情報の特徴量を抽出して、車両登録情報画像が抽出できたか否かを判定する。ステップＳ３において、例えば、ゲートｇに車両が進入していないため、撮像された画像に車両の画像が含まれていないような場合、車両登録情報の特徴量は抽出されないことになるので、処理は、ステップＳ１に戻る。すなわち、車両登録情報が含まれておらず、ゲートｇに車両が進入していないとみなされ、処理は、ステップＳ１に戻り、車両が撮像されるまで、ステップＳ１乃至Ｓ３の処理が繰り返されることになる。
【００８７】
ステップＳ３において、車両登録情報画像が抽出された、すなわち、ゲートｇに車両が進入する際に撮像された画像であって、車両登録情報画像が抽出されたと判定された場合、ステップＳ４において、顔画像抽出部２１２は、供給された画像より車両の搭乗者の顔画像を抽出し、送信部２１３に供給する。より具体的には、顔画像抽出部２１２は、例えば、撮像された画像の色などから肌が露出した部分であって、目や鼻といった特徴的な部位の配置などから顔画像を抽出して、それぞれに顔IDを付して送信部２１３に供給する。
【００８８】
ステップＳ５において、送信部２１３は、顔画像抽出部２０２より供給されてきた顔画像と、車両登録情報画像抽出部２１４より供給されてきた車両登録情報画像とを対応付けると共に、駐車場入口カメラ６１または駐車場出口カメラ６２などを識別するカメラIDや撮像時刻等の情報を付加する。
【００８９】
ステップＳ６において、送信部２１３は、顔画像抽出部２１２より供給されてきた顔画像、車両登録情報画像抽出部２１４より供給されてきた車両登録情報画像、および車両登録情報画像を含む画像を撮像した駐車場入口カメラ６１または駐車場出口カメラ６２などを識別するカメラIDを画像情報認識装置２１に送信する。
【００９０】
ステップＳ２１において、画像情報認識装置２１の車両登録情報画像抽出部２２１は、顔画像および車両登録情報画像が駐車場画像処理ユニット６３より送信されてきたか否かを判定し、送信されてきたと判定されるまで、同様の処理を繰り返す。
【００９１】
ステップＳ２１において、例えば、ステップＳ６の処理により、顔画像および車両登録情報画像が駐車場画像処理ユニット６３より送信されてきた場合、ステップＳ２２において、車両登録情報画像抽出部２２１は、送信されてきた顔画像および車両登録情報画像を受信する。このとき、顔画像抽出部２２６も送信されてきた顔画像および車両登録情報画像を受信する。
【００９２】
ステップＳ２３において、車両登録情報画像抽出部２２１は、車両登録情報画像の情報のみを抽出し、抽出された車両登録画像情報のうちの１つの車両登録情報画像を処理対象として選択し、文字情報照合部２２２に供給する。
【００９３】
ステップＳ２４において、文字情報照合部２２２は、供給されてきた車両登録情報画像を２値化し、ステップＳ２５において、文字情報辞書DB２２５と照合し、照合結果をテキストデータ変換部２２４に供給する。
【００９４】
ステップＳ２６において、テキストデータ変換部２２４は、照合結果に基づいて、車両登録情報画像をテキストデータに変換し、車両情報登録部２２５に供給する。
【００９５】
ステップＳ２７において、車両情報登録部２２５は、処理対処となっている車両登録情報画像に対応する車両登録情報をテキストデータとして生成する。
【００９６】
ステップＳ２８において、車両登録情報画像抽出部２２１は、車両登録情報画像に付されているカメラIDに基づいて、車両登録情報画像が駐車場入口カメラ６１により撮像されたものであるか否かを判定する。ステップＳ２８において、例えば、カメラIDに基づいて、車両登録情報画像が駐車場入口カメラ６１により撮像されたものであると判定された場合、ステップＳ２９において、顔画像抽出部２２６は、未処理の顔画像を１つ選択し、属性推定部２２７に供給する。
【００９７】
ステップＳ３０において、属性推定部２２７は、供給されてきた顔画像について属性を推定し、顔画像と供に推定結果を子連フラグ設定部２２８に供給する。より具体的には、属性推定部２２７は、供給された顔画像について、顔の中心位置からみた、目、鼻、口などの各部位の距離の平均値と所定の大きさとを比較し、小さいときや、各種の加齢によって発生するしわや、しみが無いとき、子供の顔画像であると推定する。
【００９８】
ステップＳ３１において、子連フラグ設定部２２８は、供給されてきた属性判定結果が付された顔画像が、子供の顔画像であるか否かを判定する。例えば、属性判定結果が子供の顔画像である場合、ステップＳ３２において、供給されてきた１つの車両登録情報画像に含まれる、いずれかの大人の顔画像について子連フラグをＯＮに設定するように、すなわち、子連であることを示すフラグに設定するように車両情報登録部２２５に通知すると供に、顔画像を供給する。尚、駐車場入口カメラ６１または駐車場出口カメラ６２のいずれかで撮像される画像は、車両を撮像するため、搭乗者のうち、少なくとも運転者の顔画像が、大人の属性として推定されるので、いずれかの顔画像の属性が子供であると推定されると、大人の属性として推定される顔画像が検出されていない状態でも、子連フラグをＯＮに設定するように通知する。
【００９９】
一方、ステップＳ３１において、属性が子供であると推定されなかった場合、ステップＳ３２の処理は、スキップされる。
【０１００】
ステップＳ３３において、顔画像抽出部２２６は、同一の画像に含まれている顔画像のうち未処理の顔画像が存在するか否かを判定し、未処理の顔画像が存在する場合、処理は、ステップＳ２９に戻る。一方、ステップＳ３３において、未処理の顔画像が存在しない場合、処理は、ステップＳ３４に進む。
【０１０１】
ステップＳ３４において、車両情報登録部２２５は、テキストデータ変換部２２４より供給されてくる車両登録情報のテキストデータと、子連フラグ設定部２２８より供給されてきた顔画像、顔ID、および子連フラグを対応付けて、例えば、図１７で示されるような車両情報DB２０に登録する。
【０１０２】
図１７においては、車両情報DB２０の構成例が示されている。尚、図１７においては、車両情報DB２０の情報が表示制御部２３６により読み出されて、表示部２３に表示される際の状態を示している。
【０１０３】
図１７における車両情報DB２０は、左からシリアルナンバ（No）、顔ID（ID）、種別、台番号、車両登録情報、子供の顔ID（子供ID）、子連フラグ、預入フラグ、および呼出装置番号の登録欄がそれぞれ設けられている。シリアルナンバは、登録の際、連続的に割り付けられ、図１７においては、１乃至９９が示されている。
【０１０４】
顔ID（ID）は、１つの車両登録情報について、１つの属性が大人として推定された顔画像に割り付けられる顔IDであり、図１７においては、「０６０８ＸＸ０１」乃至「０６０８ＸＸ９９」が示されている。種別、および台番号は、後述する遊技台３６に設けられたカメラ３８で撮像された顔画像のうち、顔IDが割り付けられた人物が遊技中の遊技台３６の種類と、遊技台３６を識別する台番号が記録されている。図１７においては、種別として、上から「Ｐ」、「Ｐ」、「Ｐｓ」、「Ｐ」、「Ｐｓ」・・・「」が記録されている。尚、「Ｐ」は、遊技台３６の種別が、いわゆるパチンコ台であることを示し、「Ｐｓ」は、遊技台３６の種別が、いわゆるパチスロ台であることを示している。また、台番号としては、上から、「１５８」、「４５」、「４７５」、「２０２」、「６９９」・・・「」が記録されている。
【０１０５】
車両登録番号は、いわゆる駐車場５１に入場時に撮像された車両のナンバプレートの情報であり、図１７においては、上から「１１−１１」、「２２−２２」、「３３−３３」、「４４−４４」、「５５−５５」・・・「９９−９９」が記録されている。
【０１０６】
子供の顔ID（子供ID）は、１つの車両登録情報について、属性が子供として推定された顔画像の顔IDであり、図１７においては、「０６０８ＹＹ０１」、「」、「」、「」、「０６０８ＹＹ０５」・・・「０６０８ＹＹ９９」が示されている。
【０１０７】
子連フラグおよび預入フラグは、それぞれ、属性が子供として推定された顔画像を含む場合に設定されるフラグ、および、後述する処理により子供を託児所５２に預け入れた人物に設定されるフラグであり、いずれもＯＮまたはＯＦＦに設定される。
【０１０８】
呼出装置番号は、子供を預け入れる際、預け入れする子供一人一人に渡される呼出装置６７を割り付けた番号を示している。
【０１０９】
したがって、図１７においては、Ｎｏ１の顔画像の顔IDが「０６０８ＸＸ０１」の遊技者は、今現在、パチンコ台である台番号１５８の遊技台３６において遊技中であり、車両登録番号「１１−１１」の車両で入場して、顔IDが「０６０８ＹＹ０１」の子供を連れているが、託児所５２に預けており、子供は、呼出装置番号が「１」の呼出装置６７を所持していることが示されている。
【０１１０】
また、Ｎｏ２の顔画像の顔IDが「０６０８ＸＸ０２」の遊技者は、今現在、パチンコ台である台番号４５の遊技台３６において遊技中であり、車両登録番号「２２−２２」の車両で入場して、子供を連れていないことが示されている。
【０１１１】
さらに、Ｎｏ３の顔画像の顔IDが「０６０８ＸＸ０３」の遊技者は、今現在、パチスロ台である台番号４７５の遊技台３６において遊技中であり、車両登録番号「３３−３３」の車両で入場して、子供を連れていないことが示されている。
【０１１２】
また、Ｎｏ４の顔画像の顔IDが「０６０８ＸＸ０４」の遊技者は、今現在、パチンコ台である台番号２０２の遊技台３６において遊技中であり、車両登録番号「４４−４４」の車両で入場して、子供を連れていないことが示されている。
【０１１３】
さらに、Ｎｏ５の顔画像の顔IDが「０６０８ＸＸ０５」の遊技者は、今現在、パチスロ台である台番号６９９の遊技台３６において遊技中であり、車両登録番号「５５−５５」の車両で入場して、顔IDが「０６０８ＹＹ０５」の子供を連れているが、託児所５２に預けていないことが示されている。
【０１１４】
また、Ｎｏ９９の顔画像の顔IDが「０６０８ＸＸ９９」の遊技者は、今現在、遊技台３６において遊技しておらず、車両登録番号「９９−９９」の車両で入場して、顔IDが「０６０８ＹＹ０９」の子供を連れているが、託児所５２に預けており、子供は、呼出装置番号が「２」の呼出装置６７を所持していることが示されている。
【０１１５】
尚、図１７においては、ポインタ３２１により特定のシリアルナンバが指定されると、対応する遊技者の登録された顔画像と、今現在の状態が表示される。すなわち、図１７におけるポインタ３２１が、操作部２３５が操作されることにより指定されると、表示制御部２３６が、車両情報DB２０より登録されている顔画像を読み出し、台番号に基づいて、対応するカメラ３８および画像処理ユニット３９を特定することで、図１８で示されるような今現在の遊技者の状態を示す画面を表示部２３に表示させる。
【０１１６】
図１８においては、左部に登録顔画像画面３３１が設けられており、顔ID「０６０８ＸＸ０５」の顔画像が表示されている。また、右下部には、ライブ画像表示欄３３２が設けられており、顔ID「０６０８ＸＸ０５」に基づいて特定される台番号「６９９」を撮像しているカメラ３８および画像処理ユニット３９が特定されて、該当する画像処理ユニット３９より供給されてくる今現在の画像が表示される。さらに、ライブ画像表示欄３３２の上部には、台番号表示欄３３３が設けられており、顔ID「０６０８ＸＸ０５」に基づいて特定される台番号「６９９」が表示されている。
【０１１７】
ここで、図１６のフローチャートの説明に戻る。
【０１１８】
ステップＳ３５において、車両登録情報画像抽出部２２１は、全ての車両登録情報画像および顔画像について処理を行ったか否かを判定し、全ての車両登録情報画像および顔画像について処理を行っていない場合、処理は、ステップＳ２３に戻り、全ての車両登録情報画像および顔画像について処理が行われたと判定されるまで、ステップＳ２３乃至Ｓ３５の処理が繰り返される。
【０１１９】
そして、ステップＳ３５において、全ての車両登録情報画像および顔画像について処理がなされたと判定された場合、処理は、ステップＳ２１に戻り、それ以降の処理が繰り返される。
【０１２０】
また、ステップＳ２８において、駐車場入口カメラ６１により撮像された画像ではないと判定された場合、すなわち、駐車場出口カメラ６２により撮像された、駐車場５１より退場する車両であると判定された場合、ステップＳ３６において、車両情報登録部２２５は、該当する車両登録情報を検索して、車両情報DB２０より削除する。
【０１２１】
以上の処理により、車両情報DB２０には、駐車場５１に入場した車両の車両登録情報と、その車両に搭乗している搭乗者の顔画像とが対応付けて登録されることになる。この際、子供を連れている遊技者については、子連フラグがＯＮにされた状態で登録される。尚、図１６のフローチャートを参照して説明した車両情報取得処理においては、種別、台番号、預入フラグ、および、呼出装置情報は、空欄のままの状態となっている。
【０１２２】
次に、図１９のフローチャートを参照して、託児管理処理について説明する。
【０１２３】
ステップＳ１１１において、託児所カメラ６５は、撮像が指示されたか否かを判定し、撮像が指示されるまで、同様の処理を繰り返す。ステップＳ１１１において、例えば、図２０で示されるように、駐車場５１に車両を駐車した状態で、子供を預ける遊技者Ｈ１が、自らの子供Ｈ２を託児所５２に預ける場合、託児所入口付近に設けられた託児所カメラ６５の操作ボタン３５１が操作されると、撮像が指示されたと判定され、処理は、ステップＳ１１２に進む。尚、図２０においては、操作ボタン３５１の左側に託児所カメラ６５が設けられており、モニタ６６の正面に立つ遊技者Ｈ１とその子供Ｈ２が撮像される。尚、この操作ボタン３５１は、後述するが、託児所に子供預けた遊技者が、子供を引き取りにくる際も操作される。
【０１２４】
ステップＳ１１２において、託児所カメラ６５は、モニタ６６の正面に立つ遊技者Ｈ１とその子供Ｈ２を撮像し、モニタ６６で示されるような、遊技者Ｈ１’および子供Ｈ２’を含む画像を撮像して、託児所画像処理ユニット６４に供給する。託児所画像処理ユニット６４の画像取得部２０１は、託児所カメラ６５より供給されてくる画像を取得し、顔画像抽出部２０２に供給する。
【０１２５】
ステップＳ１１３において、顔画像抽出部２０２は、供給された画像より遊技者の顔画像を抽出し、抽出した顔画像を送信部２０３に供給する。より具体的には、顔画像抽出部２０２は、例えば、撮像された画像の色などから肌が露出した部分であって、目や鼻といった特徴的な部位の配置などから顔画像を抽出する。
【０１２６】
ステップＳ１１４において、送信部２０３は、顔画像抽出部２０２より供給されてきた顔画像を画像情報認識装置２１に送信する。この際、送信部２０３は、託児所カメラ６５のそれぞれを識別するカメラIDや、送信時刻の情報などの情報を顔画像に付加して画像情報認識装置２１に送信する。
【０１２７】
ステップＳ１３１において、画像情報認識装置２１の顔画像取得部２２９は、顔画像が送信されてきたか否かを判定し、送信されてくるまで、その処理を繰り返す。
【０１２８】
ステップＳ１３１において、例えば、ステップＳ１１４の処理により、顔画像が送信されてきた場合、ステップＳ１３２において、画像情報認識装置２１の顔画像取得部２２９は、顔画像を取得する。ステップＳ１３３において、顔画像取得部２２９は、供給された顔画像のうち、いずれか未処理の１つを抽出し、特徴量抽出部２５１に供給する。
【０１２９】
ステップＳ１３４において、照合部２３０の特徴量抽出部２５１は、供給されてきた顔画像より特徴量を抽出して、顔画像と供に類似度計算部２５２に供給する。
【０１３０】
ステップＳ１３５において、類似度計算部２５２は、特徴量抽出部２５１より供給された顔画像についての、目と目の間隔、あごから額までの長さと、あごから鼻のまでの長さの比率などの各種の顔の特徴量と、車両情報DB２０に蓄積されている顔画像における同様の特徴量とを用いて、それぞれの差分和、平均比率、または比率和などを類似度として計算し、計算結果である車両情報DB２０に蓄積されている顔画像との類似度の順位を求め、車両情報DB２０に蓄積されている顔画像のうちの最上位の顔画像と類似度の情報を、特徴量抽出部２５１より供給されてきた顔画像と供に類似度判定部２５３に供給する。
【０１３１】
ステップＳ１３６において、類似度判定部２５３は、類似度計算部２５２より供給されてくる最上位の顔画像と類似度の情報に基づいて、最上位の類似度が所定の閾値よりも大きいか否かを判定する。すなわち、類似度判定部２５３は、最も類似している登録遊技者（車両情報DB２０に登録されている顔画像のうち、顔画像取得部２２９により取得された顔画像と最も類似している登録遊技者：ここでは、類似度の最も高い登録遊技者）の類似度を所定の閾値と比較する。
【０１３２】
尚、上述のように、類似度の定義により、撮像された顔画像と最も類似している車両情報DB２０に登録されている顔画像との類似度は、その値そのものが最も高いとは限らないため、類似度と閾値との大小関係はこの例の場合とは異なることがある。
【０１３３】
ステップＳ１３６において、最上位の類似度が所定の閾値よりも大きいと判定された場合、ステップＳ１３７において、類似度判定部２５３は、類似度の最も高い顔画像が登録されている車両情報DB２０における顔IDを託児管理部２３１に供給する。託児管理部２３１は、属性判定部２３１ｂを制御して、車両情報DB２０にアクセスさせ、供給されてきた顔IDの属性を判定させる。すなわち、車両情報DB２０においては、図１７で示されるように構成されており、顔IDが図１７のID欄に登録されていれば、属性が大人であるとみなされ、子供ID欄に登録されていれば属性が子供であると判定される。
【０１３４】
ステップＳ１３８において、託児管理部２３１は、属性判定部２３１ｂの属性の判定結果が子供であったか否かを判定し、例えば、子供であると判定された場合、ステップＳ１３９において、子供の数をカウントし、子供ではない場合、すなわち、大人であると判定された場合、ステップＳ１４０において、大人の数をカウントする。より詳細には、託児管理部２３１は、ステップＳ１３８において、子供であると判定された場合、ステップＳ１３９において、図示せぬ子供の数を示すカウンタを１インクリメントし、属性の判定結果が、子供ではなかった場合、すなわち、大人であった場合、ステップＳ１４０において、大人の数を示す図示せぬカウンタを１インクリメントする。
【０１３５】
ステップＳ１４１において、顔画像取得部２２９は、未処理の顔画像が存在するか否かを判定し、未処理の顔画像が存在する場合、処理は、ステップＳ１３３に戻る。一方、ステップＳ１４１において、未処理の顔画像が存在しない場合、処理は、ステップＳ１４２に進む。
【０１３６】
また、ステップＳ１３６において、類似度が所定の閾値よりも小さい場合、ステップＳ１３７乃至Ｓ１４０の処理がスキップされる。
【０１３７】
ステップＳ１４２において、託児管理部２３１は、属性の判定結果である図示せぬ子供の数を大人の数をそれぞれ示すカウンタに基づいて、大人のカウンタが０であって、大人がいないか否か、すなわち、子供のみであるか、または、属性推定が不能であって、子供も大人もカウンタが０であるか否かを判定する。
【０１３８】
ステップＳ１４２において、子供のみであるか、または、属性推定が不能であって、子供も大人もカウンタが０である場合、託児所に預けるべき親の顔画像が認識できないことになるので、ステップＳ１４３において、託児管理部２３１は、託児が受け付けられないことを通知する。この処理により、ステップＳ１１５において、モニタ６６には託児が受け付けられないことが表示される。
【０１３９】
一方、ステップＳ１４２において、子供のみでもなく、かつ、属性推定が不能であって、子供も大人もカウンタが０ではない、すなわち、大人のみか、または、大人と子供が存在する場合、ステップＳ１４４において、託児管理部２３１は、大人のカウンタが少なくとも１以上であって、子供のカウンタが０であるか否か、すなわち、大人のみであるか否かを判定する。
【０１４０】
ステップＳ１４４において、大人のカウンタが少なくとも１以上であって、かつ、子供のカウンタが０ではない、すなわち、大人のみではないと判定された場合、つまり、ここでは、既に子供のみではないことが前提であるので、子供と大人がそれぞれ少なくも１人以上存在する場合、ステップＳ１４５において、託児管理部２３１は、預入フラグ設定部２３１ａを制御して車両情報DB２０にアクセスさせ、該当する顔画像の遊技者についての情報として預入フラグをＯＮに設定させる。
【０１４１】
すなわち、ここでは、大人も子供も存在する状態であることになるので、大人として認識される遊技者が、連れている子供を託児所５２に預けにきたものとして認識し、預入フラグをＯＮに設定する。この際、託児管理部２３１は、呼出管理部２３１ｃを制御して、預けられる子供に渡される呼出装置６７を識別する呼出装置番号も併せて車両情報DB２０に登録させる。
【０１４２】
例えば、図１７における顔IDが「０６０８ＸＸ０１」の顔画像が最も類似度が高い場合、シリアル番号１の子連れフラグがＯＮに設定されて、呼出装置番号が、例えば、「１」として登録される。このとき、託児管理部２３１は、託児を受け付けたことをモニタ６６に表示させる。この処理により、ステップＳ１１５において、モニタ６６には、託児が受け付けられたことが表示される。
【０１４３】
ステップＳ１４４において、大人のカウンタが少なくとも１以上であって、かつ、子供のカウンタが０である、すなわち、大人のみであると判定された場合、つまり、ここでは、既に子供のみではないことが前提であるので、例えば、図２１で示されるように、遊技者Ｈ１のみが託児所カメラ６５の前に立ち、操作ボタン３５１が操作されることにより、モニタ６６に遊技者Ｈ１’で示される大人のみが撮像されている場合、ステップＳ１４６において、託児管理部２３１は、大人として認識された顔画像の人物が、預けた子供を引き取りにきたものと認識し、呼出管理部２３１ｃを制御して、供給されてきた顔IDに登録されている子供IDを検索すると共に、預け入れの際に配布された呼出装置６７を検索させる。
【０１４４】
すなわち、ここでは、例えば、図１７における顔IDが「０６０８ＸＸ０１」の顔画像が最も類似度が高い場合、シリアル番号１の子供ID「０６０８ＹＹ０１」が検索されて、呼出装置番号として「１」が検索される。
【０１４５】
ステップＳ１４７において、呼出管理部２３１ｃは、検索された呼出装置番号１に該当する呼出装置６７に対して呼び出し音を発生させるように指示を送信する。
【０１４６】
ステップＳ１５１において、呼出装置６７は、呼び出しの指              示が送信されてきたか否かを判定し、送信されてくるまで、その処理を繰り返す。ステップＳ１５１において、例えば、ステップＳ１４７の処理により、呼び出しの指示が送信されてきた場合、ステップＳ１５２において、呼出装置６７は、呼鈴となる音声を発生させる。さらに、ステップＳ１５３において、動作の停止が図示せぬ操作部により操作されることにより指示されたか否かを判定し、停止が指示されるまで、その処理を繰り返す。そして、ステップＳ１５３において、停止が指示されると、ステップＳ１５４において、呼出装置６７は、呼び出し音の発生を停止させる。
【０１４７】
以上の処理により、託児所５２に子供が預けられると、預け入れが受け付けられるタイミングで、車両登録DB２０上、預入フラグがＯＮに設定されて、預け入れの手続を完了させることができるので、係員の手間を省くことが可能となる。さらに、迎えにきた遊技者は、託児所カメラ６５で自らを撮像するだけで、自らの子供により所持されている呼出装置６７の呼び出し音が鳴ることになるので、預けた子供を迅速に特定することが可能になると共に、預け入れた人物に確実に引き渡すことが可能となるので、託児所から親を装った連れ去りなどの犯罪を抑制することが可能となる。
【０１４８】
次に、図２２のフローチャートを参照して、遊技管理処理について説明する。
【０１４９】
ステップＳ２１１において、カメラ３８は、遊技台３６にて遊技者が着座する位置の画像を撮像し、撮像した画像を画像処理ユニット３９に供給する。画像処理ユニット３９の画像取得部２０１は、供給された画像を取得し、顔画像抽出部２０２に供給する。
【０１５０】
ステップＳ２１２において、顔画像抽出部２０２は、供給された画像より遊技者の顔画像の抽出を試みて、顔画像が抽出されたか否かを判定する。より具体的には、顔画像抽出部２０２は、例えば、撮像された画像の色などから肌が露出した部分であって、目や鼻といった特徴的な部位の配置などから顔画像の抽出を試みて、顔画像が抽出できるか否かが判定される。
【０１５１】
ステップＳ２１２において、顔画像が抽出できない場合、処理は、ステップＳ２１１に戻る。すなわち、顔画像が抽出されるまで、ステップＳ２１１，Ｓ２１２の処理が繰り返される。
【０１５２】
ステップＳ２１２において、顔画像が抽出されると判定された場合、ステップＳ２１３において、顔画像抽出部２０２は、抽出した顔画像を送信部２０３に供給する。
【０１５３】
ステップＳ２１３において、送信部２０３は、顔画像抽出部２０２より供給されてきた顔画像を画像情報認識装置２１に送信する。この際、送信部２０３は、カメラ３８（または、入口カメラ４０、店内カメラ４１）のそれぞれを識別するカメラIDや、送信時刻の情報などの情報を顔画像に付加して画像情報認識装置２１に送信する。
【０１５４】
ステップＳ２３１において、画像情報認識装置２１の顔画像取得部２２９は、顔画像が送信されてきたか否かを判定し、送信されてくるまで、その処理を繰り返す。
【０１５５】
ステップＳ２３１において、例えば、ステップＳ２１４の処理により、顔画像が送信されてきた場合、ステップＳ２３２において、画像情報認識装置２１の顔画像取得部２２９は、顔画像を取得する。ステップＳ２３３において、顔画像取得部２２９は、供給された顔画像のうち、いずれか未処理の１つを抽出し、特徴量抽出部２５１に供給する。
【０１５６】
ステップＳ２３４において、照合部２３０の特徴量抽出部２５１は、供給されてきた顔画像より特徴量を抽出して、顔画像と供に類似度計算部２５２に供給する。
【０１５７】
ステップＳ２３５において、類似度計算部２５２は、特徴量抽出部２５１より供給された顔画像についての、目と目の間隔、あごから額までの長さと、あごから鼻のまでの長さの比率などの各種の顔の特徴量と、車両情報DB２０に蓄積されている顔画像における同様の特徴量とを用いて、それぞれの差分和、平均比率、または比率和などを類似度として計算し、計算結果である車両情報DB２０に蓄積されている顔画像との類似度の順位を求め、車両情報DB２０に蓄積されている顔画像のうちの最上位の顔画像と類似度の情報を、特徴量抽出部２５１より供給されてきた顔画像と供に類似度判定部２５３に供給する。
【０１５８】
ステップＳ２３６において、類似度判定部２５３は、類似度計算部２５２より供給されてくる最上位の顔画像と類似度の情報に基づいて、最上位の類似度が所定の閾値よりも大きいか否かを判定する。すなわち、類似度判定部２５３は、最も類似している登録遊技者（車両情報DB２０に登録されている顔画像のうち、顔画像取得部２２９により取得された顔画像と最も類似している登録遊技者：ここでは、類似度の最も高い登録遊技者）の類似度を所定の閾値と比較する。
【０１５９】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【０１６０】
ステップＳ２３６において、最上位の類似度が所定の閾値よりも大きいと判定された場合、ステップＳ２３７において、類似度判定部２５３は、車両情報DB２０に蓄積されている顔画像のうち、類似度計算部２５２より供給されてきた最上位の顔画像として検知されている顔画像のシリアルナンバおよびカメラIDをフラグ判定部２３２に通知する。フラグ判定部２３２は、車両情報DB２０にアクセスし、供給されてきた車両情報DB２０に蓄積されている顔画像のうち、類似度計算部２５２より供給されてきた最上位の顔画像として検知されている顔画像のシリアルナンバに該当する子連フラグがＯＮであるか否かを判定する。ステップＳ２３７において、子連フラグがＯＮであるとき、処理は、ステップＳ２３８に進む。
【０１６１】
ステップＳ２３８において、フラグ判定部２３２は、車両情報DB２０にアクセスし、供給されてきた車両情報DB２０に蓄積されている顔画像のうち、類似度計算部２５２より供給されてきた最上位の顔画像として検知されている顔画像のシリアルナンバに該当する預入フラグがＯＮであるか否かを判定する。このとき、フラグ判定部２３２は、類似度判定部２５３より供給されてきたカメラIDに基づいて、対応する遊技台３６の台番号とその種別を割り出し、車両情報DB２０に登録する。すなわち、顔画像として最も類似度が高い顔画像の顔IDが「０６０８ＸＸ０１」であり、シリアルナンバとして１が供給され、顔画像を撮像したカメラ３８のカメラIDに基づいて、顔画像が撮像された遊技台３６が、パチンコ台であって、かつ、台番号が１５８である場合、図１７の車両情報DB２０の最上段で示されるように、種別が「P」として、台番号が「１５８」としてそれぞれ登録される。
【０１６２】
ステップＳ２３８において、預入フラグがＯＮではない場合、すなわち、車両に乗って駐車場５１に駐車し、子供を連れてきているが、子供を託児所５２に預けていない状態で、遊技台３６で遊技している遊技者であると判定された場合、ステップＳ２３９において、フラグ判定部２３２は、子供を預けずに遊技している遊技者が存在することと共に、その遊技者の顔画像を撮像したカメラIDに基づいて割り出される遊技台３６の台番号を督促部２３３に供給する。督促部２３３は、この通知に応じて該当する台番号の遊技台３６の動作を不許可にする指示を示す制御信号を遊技店管理装置２４に供給する。
【０１６３】
ステップＳ２４０において、顔画像取得部２２９は、未処理の顔画像が存在するか否かを判定し、未処理の顔画像が存在する場合、処理は、ステップＳ２３３に戻る。一方、ステップＳ２４０において、未処理の顔画像が存在しない場合、処理は、ステップＳ２３１に戻り、それ以降の処理が繰り返される。
【０１６４】
また、ステップＳ２３６において、類似度が所定の閾値よりも小さい場合、ステップＳ２３７乃至Ｓ２３９の処理がスキップされる。
【０１６５】
ステップＳ２５１において、遊技店管理装置２４の制御情報取得部３０１は、所定の台番号の遊技台３６の動作を不許可にする指示を示す制御信号が送信されてきたか否かを判定し、送信されてきたと判定されるまで、その処理を繰り返す。
【０１６６】
ステップＳ２５１において、例えば、ステップＳ２３９の処理により、所定の台番号の遊技台３６の動作を不許可にする指示を示す制御信号ことを示す通知が送信されてきた場合、ステップＳ２５２において、制御情報取得部３０１は、所定の台番号の遊技台３６の動作を不許可にする指示を示す制御信号を受信する。
【０１６７】
ステップＳ２５３において、制御情報取得部３０１は、遊技台制御部３０２を制御して、台番号の遊技台３６に対して遊技を不許可とさせるように制御すると共に、子供を託児所に預けるように促す画面を表示させるように指示する。
【０１６８】
ステップＳ２７１において、遊技台３６の動作制御部３１１は、遊技店管理装置２４より動作不許可および子供を託児所に預けるように促す画面を表示させる指示があったか否かを判定する。ステップＳ２７１において、例えば、ステップＳ１５４の処理により、遊技店管理装置２４より動作不許可および子供を託児所に預けるように促す画面を表示させる指示があった場合、処理は、ステップＳ２７２に進む。
【０１６９】
ステップＳ２７２において、動作制御部３１１は、遊技台３６の動作を停止させる。
【０１７０】
ステップＳ２７３において、表示制御部３１２は、遊技台３６の表示部３１３に子供を託児所に預けるように促す画面を表示させる。
【０１７１】
一方、ステップＳ２７１において、遊技店管理装置２４より動作停止および該当車両に戻るように促す画面を表示させる指示がないと判定された場合、ステップＳ２７４において、動作制御部３１１は、遊技台３６の動作が許可状態にあるか否か、すなわち、動作できる状態であるか否かを判定し、不許可状態であると判定された場合、ステップＳ２７５において、動作を許可状態にする。ステップＳ２７４において、既に許可状態である場合、ステップＳ２７５の処理はスキップされる。
【０１７２】
尚、以上の処理においては、遊技台３６の動作を停止させ、子供を託児所に預けることを促す画面を表示させることで、子供を託児所に預けることなく遊技台３６での遊技を継続できないようにする例について説明してきたが、例えば、ステップＳ２５３の処理において、係員の所持する携帯端末１９に対して、遊技台３６に供給した指示と同様の指示の情報を送信することにより、いずれの遊技台３６で遊技している遊技者が子連で来店しているにも関わらず、子供を託児所に預けていないのかを示す情報を係員に認識させることにより、係員から子供を託児所に預けるように促すようにするサービスを提供させるようにしてもよい。
【０１７３】
以上の処理により、駐車場５１に入場する際に車両を撮像することにより、その車両に搭乗していた人物の顔画像に基づいて、子連であるか否かを認識すると共に、託児所に子供を預けた人物の顔画像に基づいて、預入をしているか否かを認識することにより、子連であるにもかかわらず、託児所に預けていない状態では、遊技台３６での遊技ができないようにさせることが可能になると共に、託児所に子供を預けるように促す画面が表示されるので、遊技者が遊技にのめりこむなどして、子供への配慮が欠けて発生する子供の連れ去りや、炎天下での車両内で発生する熱中症などの子供のトラブルを抑制することが可能となる。
【０１７４】
尚、以上においては、遊技店の駐車場における例について説明してきたが、駐車場と託児所が設けられるような施設であれば遊技店に限定されるものではなく、例えば、ショッピングモールや遊園地などでもよく、ショッピングモールの場合、遊技台３６におけるカメラ３８の代わりに、レジカウンタなどにカメラを設けて、子連であって、子供を託児所に預けていない買い物客が精算できないようにし、子供を託児所に預けるように促す画面をレジカウンタの計算機などに表示させるようにしてもよいし、遊園地の場合、遊技台３６におけるカメラ３８の代わりに、乗物のチケットカウンタなどにカメラを設けて、子連であって、子供を託児所に預けていない乗物客がチケットを購入できないようにし、子供を託児所に預けるように促す画面を表示させるようにしてもよい。
【０１７５】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１７６】
図２３は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１７７】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１７８】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１７９】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１８０】
また、本明細書において、システムとは、複数の装置により構成される装置全体を表すものである。
【図面の簡単な説明】
【０１８１】
【図１】本発明を適用した監視システムの一実施の形態の構成を示す図である。
【図２】図１のカメラの設置例を示す図である。
【図３】図１のカメラの設置例を示す図である。
【図４】図１のカメラの設置例を示す図である。
【図５】図１のカメラの設置例を示す図である。
【図６】図１のカメラの設置例を示す図である。
【図７】図１のカメラの設置例を示す図である。
【図８】図１の入口カメラおよび店内カメラの設置例を示す図である。
【図９】図１の駐車場の構成例を説明する図である。
【図１０】図９の駐車場入口カメラおよび駐車場出口カメラの構成例を説明する図である。
【図１１】図９の駐車場入口カメラおよび駐車場出口カメラにより撮像される画像の例を説明する図である。
【図１２】図１の画像処理ユニットの構成例を説明する図である。
【図１３】図１の駐車場画像処理ユニットの構成例を説明する図である。
【図１４】図１の画像情報認識装置の構成例を説明する図である。
【図１５】図１の遊技店管理装置および遊技台の構成例を説明する図である。
【図１６】車両情報取得処理を説明するフローチャートである。
【図１７】車両情報DBの構成例を説明する図である。
【図１８】車両情報DBの表示例を説明する図である。
【図１９】託児管理処理を説明するフローチャートである。
【図２０】託児管理処理を説明する図である。
【図２１】託児管理処理を説明する図である。
【図２２】遊技管理処理を説明するフローチャートである。
【図２３】パーソナルコンピュータの構成例を説明する図である。
【符号の説明】
【０１８２】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２０  車両情報データベース
２１  画像情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
５１，５１−１乃至５１−ｎ  駐車場
５２，５２−１乃至５２−ｎ  託児所
６１，６１−１乃至６１−ｒ  駐車場入口カメラ
６２，６２−１乃至６２−ｓ  駐車場出口カメラ
６３，６３−１乃至６３−（ｒ＋ｓ）  駐車場画像処理ユニット
６４  託児所画像処理ユニット
６５  託児所カメラ
６６  モニタ
６７  呼出装置
【図１】
2008083944.tif 000003
【図２】
2008083944.tif 000004
【図３】
2008083944.tif 000005
【図４】
2008083944.tif 000006
【図５】
2008083944.tif 000007
【図６】
2008083944.tif 000008
【図７】
2008083944.tif 000009
【図８】
2008083944.tif 000010
【図９】
2008083944.tif 000011
【図１０】
2008083944.tif 000012
【図１１】
2008083944.tif 000013
【図１２】
2008083944.tif 000014
【図１３】
2008083944.tif 000015
【図１４】
2008083944.tif 000016
【図１５】
2008083944.tif 000017
【図１６】
2008083944.tif 000018
【図１７】
2008083944.tif 000019
【図１８】
2008083944.tif 000020
【図１９】
2008083944.tif 000021
【図２０】
2008083944.tif 000022
【図２１】
2008083944.tif 000023
【図２２】
2008083944.tif 000024
【図２３】
2008083944.tif 000025